(57)【要約】【課題】  保守用データが破損した時、保存された保守用データに保守用差分データを付加して正確な保守用データを復元することが可能なエレベータの保守用データ復元方法を得る。【解決手段】  各エレベータ毎のエレベータ制御装置１に記憶された保守用データの破損情報及び通信装置内に蓄積された一定期間内の差分データを受信するステップと、要求後に送信された各エレベータ毎の識別情報に基づいて差分データと、既に蓄積されているデータとから復元データを作成するステップとを備える。【選択図】    図１
2006248625.tif 000002
【特許請求の範囲】
【請求項１】
各エレベータ毎のエレベータ制御装置に記憶された保守用データの破損情報及び通信装置内に蓄積された一定期間内の差分データを受信するステップと、
要求後に送信された各エレベータ毎の識別情報に基づいて差分データと、既に蓄積されているデータとから復元データを作成するステップと、
を備えたことを特徴とするエレベータの保守用データ復元方法。
【請求項２】
エレベータ制御装置と、
前記エレベータ制御装置に設けられ、エレベータの保守用データを定期的に記憶する保守用データ記憶部を有する保守用データ処理装置と、
前記エレベータ制御装置に接続されたデータ通信装置と、
前記データ通信装置に設けられ、データ破損時のデータ復元のために保守用差分データを定期的に保存する保守用差分データ記憶部を有する通信装置内データ処理装置と、
前記データ通信装置に電話回線等を介して接続された保守用データ受信／蓄積システムと、
前記保守用データ受信／蓄積システムに設けられ、エレベータ制御装置の保守用データ記憶部の内容を定期的に採取し蓄積する保守用データ蓄積データベースとを備え、
エレベータの保守用データの破損が検出された時、前記保守用データ処理装置は前記データ通信装置に対しデータ復元要求を出力し、前記データ通信装置は保守用差分データの内容を添付して前記保守用データ受信／蓄積システムにデータ復元要求を出力し、前記保守用データ受信／蓄積システムは復元用基データを前記保守用データ蓄積データベースから検索して取得し、保守用差分データと復元用基データとから復元データを書込み用データとして生成し、この書込み用データを前記データ通信装置を経由して前記保守用データ処理装置へ送信し、前記保守用データ記憶部に書き込むことを特徴とするエレベータの保守用データ復元装置。
【請求項３】
データ通信装置はエレベータ制御装置に外付けされていることを特徴とする請求項２記載のエレベータの保守用データ復元装置。
【請求項４】
通信装置内データ処理装置の保守用差分データ記憶部の記憶容量は、保守用データ処理装置の保守用データ記憶部の記憶容量よりも小さくしたことを特徴とする請求項２記載のエレベータの保守用データ復元装置。
【請求項５】
保存用データの定期的採取があった時、保守用差分データ記憶部の内容をクリアすることを特徴とする請求項４記載のエレベータの保守用データ復元装置。
【請求項６】
エレベータ制御装置と、
前記エレベータ制御装置に設けられ、エレベータの保守用データを定期的に記憶する保守用データ記憶部を有する保守用データ処理装置と、
前記エレベータ制御装置に電話回線等を介して接続された保守用データ受信／蓄積システムと、
前記保守用データ受信／蓄積システムに設けられ、エレベータ制御装置の保守用データ記憶部の内容を定期的に採取し蓄積する保守用データ蓄積データベースとを備えたエレベータの保守用データを復元するための改修方法であって、
データ破損時のデータ復元のための保守用差分データを定期的に保存する保守用差分データ記憶部を含む通信装置内データ処理装置を有するデータ通信装置を前記エレベータ制御装置に外付けするステップと、
前記外付けされたデータ通信装置に電話回線等を介して保守用データ受信／蓄積システムを接続するステップと、
エレベータの保守用データの破損が検出された時、前記保守用データ処理装置は前記データ通信装置に対しデータ復元要求を出力し、前記データ通信装置は保守用差分データの内容を添付して前記保守用データ受信／蓄積システムにデータ復元要求を出力し、前記保守用データ受信／蓄積システムは復元用基データを前記保守用データ蓄積データベースから検索して取得し、保守用差分データと復元用基データとから復元データを書込み用データとして生成し、この書込み用データを前記データ通信装置を経由して前記保守用データ処理装置へ送信し、前記保守用データ記憶部に書き込むデータ復元処理を行うステップと、
を備えたことを特徴とするエレベータの保守用データ復元改修方法。
【発明の詳細な説明】
【技術分野】
【０００１】
この発明は、エレベータ制御盤内に記憶されている保守用データが消失もしくは破壊された時に、保守用データを元の状態に復元させるエレベータの保守用データ復元装置及びその方法に関するものである。
【背景技術】
【０００２】
従来、エレベータ制御盤内に記憶されている保守用データ（故障履歴、通報履歴、異常履歴、各種計測データ等）は、故障や落雷、その他の不慮の理由で消失もしくは破壊される場合がある。消失もしくは破壊された保守用データの内容は、エレベータをメンテナンスする上で必要なデータが種々存在するため、その内容を復元する必要がある。この保守用データを復元する方法としては、保守用携帯端末を用いて保守作業員がデータ書き込み作業を行う方法、或いはデータ破損を自動的に認識して復元する方法などがある。
【０００３】
また、従来技術として、保守用データが失われた時でも、監視センターに蓄えられている保守情報データをエレベータ制御装置のマイコンへ転送することにより、エレベータのメンテナンスをする上で貴重な保守用データの復旧が、短時間で行えるエレベータ監視システムが提案されている（例えば、特許文献１参照）。
【０００４】
【特許文献１】特開平８−３３３０６５号公報
【発明の開示】
【発明が解決しようとする課題】
【０００５】
従来のエレベータ監視システムでは、復元する保守用データの内容は、定期的に採取、保存している内容、すなわち、データ破損発生時点での一番新しい採取データ（前回採取データ）をそのまま復旧する方式となっているが、この方式では、前回採取データからデータ破損までの間に記録したデータ、いわゆる差分データ及びデータ破損からデータ復元までの間に記録したデータを戻すことはできないという問題がある。
【０００６】
この発明は、上述のような課題を解決するためになされたもので、前回採取データからデータ破損までの間に記録した差分データを採取、保存する機能をエレベータ制御盤及び通信装置側に設け、データ破損を検出した時、データ蓄積システムに保存されている採取データに差分データを付加してより正確な保守用データを復元することが可能なエレベータの保守用データ復元装置及びその方法を提供するものである。
【課題を解決するための手段】
【０００７】
この発明に係るエレベータの保守用データ復元方法においては、各エレベータ毎のエレベータ制御装置に記憶された保守用データの破損情報及び通信装置内に蓄積された一定期間内の差分データを受信するステップと、要求後に送信された各エレベータ毎の識別情報に基づいて差分データと、既に蓄積されているデータとから復元データを作成するステップとを備えたものである。
【０００８】
また、この発明に係るエレベータの保守用データ復元装置においては、エレベータ制御装置と、エレベータ制御装置に設けられ、エレベータの保守用データを定期的に記憶する保守用データ記憶部を有する保守用データ処理装置と、エレベータ制御装置に接続されたデータ通信装置と、データ通信装置に設けられ、データ破損時のデータ復元のために保守用差分データを定期的に保存する保守用差分データ記憶部を有する通信装置内データ処理装置と、データ通信装置に電話回線等を介して接続された保守用データ受信／蓄積システムと、保守用データ受信／蓄積システムに設けられ、エレベータ制御装置の保守用データ記憶部の内容を定期的に採取し蓄積する保守用データ蓄積データベースとを備え、エレベータの保守用データの破損が検出された時、保守用データ処理装置はデータ通信装置に対しデータ復元要求を出力し、データ通信装置は保守用差分データの内容を添付して保守用データ受信／蓄積システムにデータ復元要求を出力し、保守用データ受信／蓄積システムは復元用基データを保守用データ蓄積データベースから検索して取得し、保守用差分データと復元用基データとから復元データを書込み用データとして生成し、この書込み用データをデータ通信装置を経由して保守用データ処理装置へ送信し、保守用データ記憶部に書き込むものである。
【０００９】
また、データ通信装置はエレベータ制御装置に外付けされているものである。
【００１０】
また、通信装置内データ処理装置の保守用差分データ記憶部の記憶容量は、保守用データ処理装置の保守用データ記憶部の記憶容量よりも小さくしたものである。
【００１１】
また、保存用データの定期的採取があった時、保守用差分データ記憶部の内容をクリアするものである。
【００１２】
また、この発明に係るエレベータの保守用データ復元改修方法においては、エレベータ制御装置と、エレベータ制御装置に設けられ、エレベータの保守用データを定期的に記憶する保守用データ記憶部を有する保守用データ処理装置と、エレベータ制御装置に電話回線等を介して接続された保守用データ受信／蓄積システムと、保守用データ受信／蓄積システムに設けられ、エレベータ制御装置の保守用データ記憶部の内容を定期的に採取し蓄積する保守用データ蓄積データベースとを備えたエレベータの保守用データを復元するための改修方法であって、データ破損時のデータ復元のための保守用差分データを定期的に保存する保守用差分データ記憶部を含む通信装置内データ処理装置を有するデータ通信装置をエレベータ制御装置に外付けするステップと、外付けされたデータ通信装置に電話回線等を介して保守用データ受信／蓄積システムを接続するステップと、エレベータの保守用データの破損が検出された時、保守用データ処理装置はデータ通信装置に対しデータ復元要求を出力し、データ通信装置は保守用差分データの内容を添付して保守用データ受信／蓄積システムにデータ復元要求を出力し、保守用データ受信／蓄積システムは復元用基データを保守用データ蓄積データベースから検索して取得し、保守用差分データと復元用基データとから復元データを書込み用データとして生成し、この書込み用データをデータ通信装置を経由して保守用データ処理装置へ送信し、保守用データ記憶部に書き込むデータ復元処理を行うステップとを備えたものである。
【発明の効果】
【００１３】
この発明は、復元に必要な差分データを通信装置内の別媒体に持たせているので、データ破損による影響を受けることがない。また、保守員の介在なしで自動的にデータ復元が可能となる。また、差分データだけを持つので、少ない資源で実施が可能である。また、差分データを前回採取データに添付（付加）することにより、従来よりも正確なデータを復元できる。データ破損時に直ぐに復元処理を実行できるので、データ破損から復元までの間に記録されるデータへの影響が少ないという効果もある。
【発明を実施するための最良の形態】
【００１４】
実施の形態１．
図１はこの発明の実施の形態１におけるエレベータの保守用データ復元装置の全体構成を示すシステム構成図、図２はこの発明の実施の形態１におけるエレベータの保守用データ復元装置のデータ採取動作を説明するためのフローチャート、図３はこの発明の実施の形態１におけるエレベータの保守用データ復元装置の差分データ保存動作を説明するためのフローチャート、図４はこの発明の実施の形態１におけるエレベータの保守用データ復元装置のデータ復旧動作を説明するためのフローチャートである。
【００１５】
図１において、１はエレベータ制御装置を構成するエレベータ制御盤、２はエレベータ制御盤１内に設けられたエレベータ側データ伝送用インターフェース、３はエレベータ制御盤１内に設けられた保守用データ処理装置である。保守用データ処理装置３は、保守用データ処理部３ａと保守用データ記憶部３ｂとから構成されている。この保守用データ記憶部３ｂの記憶容量は、例えば、約５０００バイト程度である。４はエレベータ制御盤１とデータ通信装置５を接続するケーブル、５はエレベータ制御盤１とケーブル４を介して接続されたデータ通信装置、６はデータ通信装置５内に設けられたエレベータ側との間でデータ伝送を行うデータ通信装置側データ伝送用インターフェース、７はデータ通信装置５内に設けられた通信装置内データ処理装置である。通信装置内データ処理装置７は、通信装置用データ処理部７ａと保守用差分データ記憶部７ｂとから構成されている。この保守用差分データ記憶部７ｂの記憶容量は、例えば、約１０００バイト程度である。８はデータ通信装置５内に設けられた保守用データ受信／蓄積システム１０との間でデータ伝送を行うデータ通信装置側データ伝送用インターフェース、９はデータ通信装置５と保守用データ受信／蓄積システム１０とを接続する電話回線である。なお、既設のエレベータの保守用データを復元するために既設エレベータを改修する場合には、上記データ通信装置５は、既設のエレベータ制御盤１に外付けされる。そして、外付けされたデータ通信装置５に電話回線９を介して保守用データ受信／蓄積システム１０を接続する。１０は各エレベータ毎の保守用データ（故障履歴、通報履歴、異常履歴、各種計測データ等）を受信し各エレベータ毎の識別情報に基づいて蓄積する保守用データ受信／蓄積システム、１１は保守用データ受信／蓄積システム１０内に設けられたデータ通信装置５との間でデータ伝送を行う保守用データ受信／蓄積システム側データ伝送用インターフェース、１２は保守用データ受信／蓄積システム１０の運行を制御するホストコンピュータ、１３は各エレベータ毎の識別情報に基づいて保存された保守用データ蓄積データベースである。
【００１６】
次に、エレベータの保守用データ復元装置により定期的に行われるデータ採取動作について、図２により説明する。
先ず、ステップＳ１で保守用データ受信／蓄積システム１０がエレベータ制御盤１の保守用データ記憶部３ｂの内容を定期的に採取する。この定期的に保守データを採取する採取インターバルは約１ヶ月間隔とする。データ採取インターバルを短く（例えば１日単位）にすれば、復旧時に正確なデータを復元することができるが、実施台数が増加すればするほど、保守データ受信／蓄積システム１０の負荷、保守用データ蓄積データベース１３の容量増大等でコストが嵩むため、採取インターバルは約１ヶ月間隔に設定する。次に、ステップＳ２で保守用データ受信／蓄積システム１０が採取された保守用データを保守用データ蓄積データベース１３に蓄積する。定期的に採取した保守用データは、データ受信／蓄積システム１０にて号機毎データとして保存される。
【００１７】
次に、エレベータの保守用データ復元装置により定期的に行われる差分データの保存動作について、図３により説明する。
ステップＳ１１で、データ破損時のデータ復元をより正確にするために、データ通信装置５が、差分データをデータ通信装置５内の保守用差分データ記憶部７ｂに保存する。保存用データの定期採取があった時は保守用差分データ記憶部７ｂの内容をクリアする。差分データは、定期的（採取データ更新時、常時変化する保守用データは１日１回程度）にデータ通信装置５内の保守用差分データ記憶部７ｂに保存するのであるが、これは差分であるため、通常採取している保守用データより格段に情報量が少なく、記憶容量は小さくて済む。また、エレベータ制御盤１とは別の記憶媒体に差分データを記憶するので、エレベータ制御盤１が破壊された場合でも差分データは号機毎データとして残っている。
【００１８】
次に、エレベータの保守用データ復元装置によるデータ復旧動作について、図４により説明する。
先ず、ステップＳ２１でエレベータ制御盤１の保守用データ処理装置３が保守用データの破損を検出する。保守用データの項目としては、例えば、通報履歴・異常履歴、故障履歴、エレベータ竣工時からの累計データ（以下計測データ１という）、１回／月で０クリアされる呼び登録などのコンサルティング用データ（以下計測データ２という）等がある。また、保守用データ破損の認識方法としては、例えば、次のようなものが考えられる。すなわち、通報履歴・異常履歴の場合は、通報履歴、異常履歴の１バイト目に特定の値以外のデータが書き込まれた場合、或いは「ＲＡＭ異常」が検出された場合などである。また、故障履歴の場合は、故障履歴の１レコード目の先頭アドレスに「００」、「０１」、「０２」、「０３」、「０４」以外の値が書き込まれた場合（故障履歴の先頭アドレスは故障検出数で最大値「０４」である）、或いは「ＲＡＭ異常」が検出された場合などである。また、計測データ１の場合は、ありえない数値が記録された場合で、例えば、起動回数が２５２２８８０００回、走行時間が９２２９９２６４時間を越えた場合（１回の起動時間を最短５秒、４０年間無停止で動作していると仮定した値）、或いは「ＲＡＭ異常」が検出された場合などである。更にまた、計測データ２の場合は、ありえない数値が記録された場合で、例えば、かご呼び登録回数の最大値が２４８８３２０００回を越えた場合（１回の登録回数を１回／秒３２階床対応で９０日クリアなしと仮定した値）、或いは「ＲＡＭ異常」が検出された場合などである。ステップＳ２１でデータ破損が検出されると、ステップＳ２２に進み保守用データ処理装置３がデータ通信装置５に対しデータ復元要求を出力する。次に、ステップＳ２３でデータ復元要求を受信したデータ通信装置５が保守用差分データ記憶部７ｂの内容を添付（付加）して保守用データ受信／蓄積システム１０にデータ復元要求を出力する。データ復元要求を受信した保守用データ受信／蓄積システム１０は、ホストコンピュータ１２を介して復元用基データを保守用データ蓄積データベース１３から必要データとして検索しこれを取得する（ステップＳ２４）。ステップＳ２４で復元用基データを取得したホストコンピュータ１２は、データ復元要求に添付（付加）された保守用差分データと復元用基データとから復元データ生成処理の第１段階として書込み用データを生成する（ステップＳ２５）。そして、ホストコンピュータ１２が生成された書込み用データをデータ通信装置５へ送信する（ステップＳ２６）。データ通信装置５は上記書込み用データをエレベータ制御盤１内の保守用データ処理装置３へ送信する（ステップＳ２７）。保守用データ処理装置３は、復元データ生成処理の第２段階として上記書込み用データの内容を保守用データ記憶部３ｂに書込むデータ復元処理を行う（ステップＳ２８）。
なお、ステップＳ２１でデータ破損が検出されない時は、ステップＳ２９で保守用データに変化があったかどうかを判断する。保守用データに変化があると、ステップＳ３０に進み、変化分（差分）をデータ通信装置５へ送信する。データ通信装置５は通信装置５内のデータ処理装置７の保守用差分データ記憶部７ｂに変化分を記録する（ステップＳ３１）。次に、ステップＳ３２に進み保守用データの定期採取があったかどうかを判断し、定期採取があった時は保守用差分データ記憶部７ｂの内容をクリアする。
【００１９】
以上のように、実施の形態１によれば、保守用データ破損時にデータ復元要求をエレベータが自動的に出力し、復元に必要な差分データを通信装置内の別媒体に持たせているので、データ破損による影響を受けることがない。また、保守員の介在なしで自動的にデータ復元が可能となる。また、差分データだけを持つので、少ない資源で実施が可能である。また、差分データを前回採取データに添付（付加）することにより、従来よりも正確なデータを復元できる。データ破損時に直ぐに復元処理を実行できるので、データ破損から復元までの間に記録されるデータへの影響が少ないという効果もある。  
【図面の簡単な説明】
【００２０】
【図１】この発明の実施の形態１におけるエレベータの保守用データ復元装置の全体構成を示すシステム構成図である。
【図２】この発明の実施の形態１におけるエレベータの保守用データ復元装置のデータ採取動作を説明するためのフローチャートである。
【図３】この発明の実施の形態１におけるエレベータの保守用データ復元装置の差分データ保存動作を説明するためのフローチャートである。
【図４】この発明の実施の形態１におけるエレベータの保守用データ復元装置のデータ復旧動作を説明するためのフローチャートである。
【符号の説明】
【００２１】
１  エレベータ制御盤
２  エレベータ側データ伝送用インターフェース
３  保守用データ処理装置
３ａ  保守用データ処理部
３ｂ  保守用データ記憶部
４  ケーブル
５  データ通信装置
６、８  データ通信装置側データ伝送用インターフェース
７  通信装置内データ処理装置
７ａ  通信装置用データ処理部
７ｂ  保守用差分データ記憶部
９  電話回線
１０  保守用データ受信／蓄積システム
１１  保守用データ受信／蓄積システム側データ伝送用インターフェース
１２  ホストコンピュータ
１３  保守用データ蓄積データベース
【図１】
2006248625.tif 000003
【図２】
2006248625.tif 000004
【図３】
2006248625.tif 000005
【図４】
2006248625.tif 000006